(57)【特許請求の範囲】
【請求項１】
クライアントレイヤの通信パスと、該通信パスを多重化したサーバレイヤの通信パスとを含む通信ネットワークに於ける通信パス制御方法に於いて、
制御対象レイヤの通信パスの制御状態を、運用状態と、該運用状態とは独立的にサーバレイヤの通信パスによる影響を示す従属状態として管理し、
通信パスの設定，停止の制御に従って、該通信パスの前記運用状態を該制御内容に従って変更し、該通信パスの運用状態変更により影響を受けるクライアントレイヤの通信パスの従属状態を変更する過程を含む
ことを特徴とする通信パス制御方法。
【請求項２】
前記通信パスの設定，停止の制御により影響を受けるクライアントレイヤの通信パスの従属状態が、既にサーバレイヤの通信パスの運用状態に対応する内容に変更されている時は、該クライアントレイヤの通信パスの従属状態をそのままとして処理を終了する過程を含むことを特徴とする請求項１記載の通信パス制御方法。
【請求項３】
前記通信パスの障害発生時に、該通信パスの運用状態を停止状態に変更し、該通信パスの運用状態変更により影響を受けるクライアントレイヤの通信パスの従属状態が停止状態の時は処理を終了し、該従属状態が停止状態でない時は停止状態に変更する過程を含むことを特徴とする請求項１記載の通信パス制御方法。
【請求項４】
クライアントレイヤの通信パスと、該通信パスを多重化したサーバレイヤの通信パスとを含む通信ネットワークを制御する通信制御装置に於いて、
各レイヤの前記通信パスを運用状態と従属状態とにより管理し、制御対象レイヤの通信パスの設定，停止の制御により該通信パスの運用状態を変更し、該通信パスの運用状態変更により影響を受けるクライアントレイヤの通信パスの従属状態を変更するトレイル制御機能部を備えた
ことを特徴とする通信制御装置。
【請求項５】
前記通信ネットワークの各部との間で状態情報の収集及び制御情報の送受信を行う複数のサブネットワーク管理装置と、該複数のサブネットワーク管理装置との間で前記状態情報及び前記制御情報の送受信を行い、且つ前記トレイル制御機能部を有するメインネットワーク管理装置とにより構成したことを特徴とする請求項４記載の通信制御装置。
【発明の詳細な説明】
【０００１】
【発明の属する技術分野】
本発明は、通信ネットワークに於ける通信パス制御方法及び通信制御装置に関する。
通信ネットワークは、各種の伝送方式で且つ異なる伝送速度の構成が混在して複雑化並びに大規模化されている。このような通信ネットワークに於いても、通信パスの形成や解放の為の制御を円滑化する為には、全体の運用状態等を管理する必要がある。
【０００２】
【従来の技術】
通信ネットワークは、前述のように、各種の構成が混在して構成される場合が一般的であり、例えば、ＰＤＨ（Ｐlesiochronous Ｄigital  Ｈierarchy；非同期ディジタル・ハイアラーキ），ＳＤＨ（Ｓynchronous  Ｄigital  Ｈierarchy；同期ディジタル・ハイアラーキ），ＡＴＭ（Ａsynchronous Ｔransfer Ｍode ；非同期転送モード）等の各種の伝送方式を適用し、且つ各種の伝送速度の構成を混在させることになる。
【０００３】
図１２は通信ネットワークの説明図であり、１０１は２ＭｂｐｓのＰＤＨクロスコネクト部、１０２は２ＭｂｐｓのＳＤＨクロスコネクト部、１０３は５２ＭｂｐｓのＳＤＨクロスコネクト部、１０４はＰＤＨ−ＳＤＨ変換部、１０５は多重部、１１０はメインネットワーク管理装置（Ｍ−ＮＭＳ）、１１１〜１１３はサブネットワーク管理装置（Ｓ−ＮＭＳ）を示し、前述のＰＤＨとＳＤＨとが混在し、且つ２Ｍｂｐｓと５２Ｍｂｐｓとの異なる伝送速度の構成が混在されている。
【０００４】
このような通信ネットワークの管理は、それぞれの伝送方式対応又は伝送速度対応に行う場合が一般的である。例えば、図１２に於いては、サブネットワーク管理装置１１１，１１３により２Ｍｂｐｓの伝送速度の通信パスを管理し、サブネットワーク管理装置１１２により５２Ｍｂｐｓの伝送速度の通信パスを管理する場合を示している。又サブネットワーク管理装置１１１〜１１３の上位装置として、メインネットワーク管理装置１１０により通信ネットワーク全体を管理する構成の場合を示している。
【０００５】
又このような複雑化した通信ネットワークの管理に於いて、階層化して整理する動きが、例えば、ＩＴＵ−Ｔ（Ｉnternational  Ｔelecommunication  Ｕnion−Ｔelecommunication  Ｓtandardization  Ｓector ）の勧告Ｇ．８０５に見られている。
【０００６】
【発明が解決しようとする課題】
前述のような通信ネットワークに於いて、通信パスを階層化して整理すると、例えば、図１３に示すように、５２ＭｂｐｓのＳＤＨ（ＶＣ３−ＴＵ３）（ＶＣ；Ｖirtual  Ｃontainer，ＴＵ；Ｔributary  Ｕnit ）の通信パス１２１と、２ＭｂｐｓのＳＤＨ（ＶＣ１２−ＴＵ１２）の通信パス１２２と、２ＭｂｐｓのＰＤＨのパス１２３との階層構造とし、各通信パス１２１〜１２３はそれぞれクロスコネクト１３１〜１３３を有するものである。即ち、２ＭｂｐｓのＰＤＨの通信パス１２３は、通信パス１２１と通信パス１２２との一部によって構成されることになる。
【０００７】
従って、通信パス１２１のクロスコネクト１３１を非停止状態（運用サービス中）から停止状態とすると、その通信パス１２１の一部の通信パス１２２のクロスコネクト１３２を非停止状態としていても、通信パス１２２は非停止状態から停止状態となる。従って、その通信パス１２２の一部の通信パス１２３も非停止状態から停止状態となる。このように、階層構造の上位の影響を下位が受けることになり、下位側の状態は、上位側の状態を探索することによって認識することが可能となる。
【０００８】
又通信パス１２３のクロスコネクト１３３を停止状態からパス設定による非停止状態とした時、上位側の通信パス１２１，１２２が共に非停止状態であるか否かを確認する必要がある。即ち、下位側を停止状態から非停止状態（運用サービス中）に切替えた時に、上位側が非停止状態でないと、下位側の通信パスは運用サービスを行う状態とならないものである。従って、階層数が多くなるに従って各階層毎に判断処理を繰り返すことにより、処理時間が長くなる問題がある。
本発明は、通信ネットワークを階層構造として管理し、処理時間を短縮することを目的とする。
【０００９】
【課題を解決するための手段】
本発明の通信パス制御方法は、（１）クライアントレイヤの通信パスと、この通信パスを多重化したサーバレイヤの通信パスとを含む通信ネットワークに於ける通信パス制御方法であって、制御対象レイヤの通信パスの制御状態を、運用状態と、この運用状態とは独立的にサーバレイヤの通信パスによる影響を示す従属状態として管理し、通信パスの設定，停止の制御に従ってこの通信パスの運用状態を制御内容に従って変更し、通信パスの運用状態変更により影響を受けるクライアントレイヤの通信パスの従属状態を変更する過程を含むものである。
【００１０】
又（２）通信パスの設定，停止の制御により影響を受けるクライアントレイヤの通信パスの従属状態が、既にサーバレイヤの通信パスの運用状態に対応する内容に変更されている時は、クライアントレイヤの通信パスの従属状態をそのままとして処理を終了する過程を含むものである。例えば、通信パスの停止を行った時に、クライアントレイヤの通信パスの従属状態が停止状態の時は、その通信パスの制御内容により影響を受ける他のクライアントレイヤの通信パスも既に従属停止の状態となっているから、それ以降の処理は行わないものである。
【００１１】
又（３）通信パスの障害発生時に、通信パスの運用状態を停止状態に変更し、この通信パスの運用状態変更により影響を受けるクライアントレイヤの通信パスの従属状態が停止状態の時は処理を終了し、従属状態が停止状態でない時は停止状態に変更する過程を含むものである。従って、運用サービス可能の通信パスの探索を運用状態と従属状態とを基に容易に行うことが可能となる。
【００１２】
又本発明の通信制御装置は、（４）クライアントレイヤの通信パスと、該通信パスを多重化したサーバレイヤの通信パスとを含む通信ネットワークを制御する通信制御装置であって、各レイヤの通信パスを運用状態と従属状態とにより管理し、制御対象レイヤの通信パスの設定，停止の制御により、通信パスの運用状態を変更し、この通信パスの運用状態変更により影響を受けるクライアントレイヤの通信パスの従属状態を変更するトレイル制御機能部を備えている。
【００１３】
又（５）通信ネットワークの各部との間で状態情報の収集及び制御情報の送受信を行う複数のサブネットワーク管理装置と、複数のサブネットワーク管理装置との間で状態情報及び制御情報の送受信を行い、且つトレイル制御機能部を有するメインネットワーク管理装置とにより構成することができる。
【００１４】
【発明の実施の形態】
図１は本発明の実施の形態の通信パス制御の概要説明図であり、１，２は２ＭｂｐｓのＰＤＨの通信パスＡの終端部、３，４は２ＭｂｐｓのＳＤＨ２Ｍ（ＶＣ１２−ＴＵ１２）の通信パスＢの終端部、５，６は５２ＭｂｐｓのＳＤＨ２Ｍ（ＶＣ３−ＴＵ３）の通信パスＣの終端部、７，８，９，１０は１５０ＭｂｐｓのＳＤＨ１５０Ｍ（ＶＣ４−ＡＵ４）の通信パスＤ，Ｅの終端部、１１〜１４はクロスコネクトを示す。各クロスコネクト１１〜１４は、クライアントレイヤ側にドロップする機能及びクライアントレイヤ側からインサートする機能を含ませることができる。
【００１５】
階層構造の通信パスＡ，Ｂ，Ｃ，Ｄ，Ｅに於いて、上位レイヤをサーバ、下位レイヤをクライアントとし、通信パスを運用状態と従属状態とによって管理するもので、運用状態は、通信パスの設定，停止の制御内容に従った状態を示し、従属状態は、サーバレイヤの通信パスの制御状態により影響を受けるクライアントレイヤの通信パスの状態を示すものであり、この運用状態と従属状態とを独立的に管理する。
【００１６】
図１の（１）は、通信パスＣのＸＣ解除、即ち、通信パスＣのクロスコネクト１３を停止状態に制御した時、この通信パスＣの運用状態を停止とし、又この通信パスＣのクライアントレイヤの通信パスＢの従属状態を停止（従属停止）、この通信パスＢのクライアントレイヤの通信パスＡの従属状態を停止（従属停止）とする。
【００１７】
又（２）前述の（１）の状態から通信パスＢのＸＣ解除、即ち、クロスコネクト１２を非停止状態から停止状態に切替えた場合、制御対象レイヤの通信パスＢの運用状態を停止状態に遷移させることになるが、既に従属状態は停止状態であるから、この場合の処理は終了する。
【００１８】
又（３）前述の（１）の状態から通信パスＤのＸＣ解除、即ち、クロスコネクト１４を非停止状態から停止状態に切替えた場合、制御対象レイヤの通信パスＤの運用状態を非停止状態から停止状態に遷移させる。そして、通信パスＤに対するクライアントレイヤの通信パスＣの従属状態は、既に停止状態となっているから、処理を終了する。
【００１９】
又（４）前述の（２）の状態から通信パスＢのＸＣ再設定、即ち、クロスコネクト１２を停止状態から非停止状態に切替えた場合（パス設定を行った場合）、制御対象レイヤの通信パスＢの運用状態を非停止状態とするが、従属状態は停止状態となっているから、非停止状態（運用サービス状態）に遷移させることができないので、処理を終了する。
【００２０】
図２は本発明の実施の形態の通信パスの状態遷移説明図であり、生成された通信パスに対して、運用状態（administrative state）と従属状態（suboerdinate state）との情報として独立的に管理するものであり、ｌｏｃｋｅｄは停止中の状態、ｕｎｌｏｃｋｅｄは非停止中、即ち、運用サービス中の状態を示し、運用状態として、停止状態ｌｏｃｋｅｄから非停止状態ｕｎｌｏｃｋｅｄに制御されることにより、通信パスは接続状態ｃｏｎｎｅｃｔとなり、反対に非停止状態ｕｎｌｏｃｋｅｄから停止状態ｌｏｃｋｅｄに制御されることにより、通信パスは遮断状態ｄｉｓｃｏｎｎｅｃｔとなる。
【００２１】
又従属状態としては、サーバＴｒａｉｌ（サーバレイヤの通信パス）の接続状態ｃｏｎｎｅｃｔにより非停止状態ｕｎｌｏｃｋｅｄに遷移し、サーバＴｒａｉｌの遮断状態ｕｎｃｏｎｎｅｃｔにより停止状態ｌｏｃｋｅｄに遷移する。即ち、制御対象レイヤの通信パスの運用状態は、設定，停止の制御内容に従って変更され、従属状態は、サーバレイヤの通信パスの制御内容に従って変更されることになる。
【００２２】
図３は本発明の実施の形態の通信パス制御の状態情報の説明図であり、図１と同一符号は同一部分を示し、（Ａ）はネットワークレイヤを示し、終端部１，２間のクロスコネクト１１を有する２Ｍｂｐｓの２ＭＰＤＨの通信パスと、終端部３，４間のクスロコネクト１２を有する２Ｍｂｐｓの２ＭＳＤＨ（ＶＣ１２−ＴＵ１２）の通信パスと、終端部５，６間のクロスコネクト１３を有する５２Ｍｂｐｓの５２ＭＳＤＨ（ＶＣ３−ＴＵ３）通信パスとを示し、（Ｂ）はその状態情報を示す。
【００２３】
従って、（Ｂ）に示すように、ＸＣ解除前、即ち、クロスコネクト１１〜１３を接続状態としている場合、各通信パスは非停止状態ｕｎｌｏｃｋｅｄとなっている。即ち、各通信パスは運用サービス中となる。そして、制御対象レイヤのクロスコネクト１３を非停止状態から停止状態に切替えると、ＸＣ解除後として示すように、クロスコネクト１３を含む５２ＭＳＤＨ（ＶＣ３−ＴＵ３）の通信パスは、運用状態を停止状態ｌｏｃｋｅｄとし、クライアントレイヤの２ＭＳＤＨ（ＶＣ１２−ＴＵ１２）及び２ＭＰＤＨの通信パスは、従属状態を停止状態ｌｏｃｋｅｄとする。
【００２４】
この状態に於いて、クロスコネクト１２を非停止状態から停止状態に切替える制御が行われると、２ＭＳＤＨ（ＶＣ１２−ＴＵ１２）の通信パスの運用状態を停止状態ｌｏｃｋｅｄとするが、この場合、従属状態が停止状態ｌｏｃｋｅｄとなっているから、クライアントレイヤについての処理を行うことなく、終了とする。
【００２５】
図４は本発明の実施の形態の停止処理のフローチャートを示し、ＸＣ解除要求、即ち、クロスコネクトのパス解放の要求（Ａ１）により、従属停止中か否か、即ち、従属状態が停止状態ｌｏｃｋｅｄか否かを判定する（Ａ２）。従属状態が停止状態ｌｏｃｋｅｄの場合は、自Ｔｒａｉｌサービス停止、即ち、制御対象レイヤの通信パスの運用状態を停止状態ｌｏｃｋｅｄとする（Ａ４）。
【００２６】
又ステップ（Ａ２）に於いて、従属状態が停止状態ｌｏｃｋｅｄでない場合は、クライアントＴｒａｉｌ処理を行う（Ａ３）。このステップ（Ａ３）は、右側に示すように、クライアントＴｒａｉｌを検索する（Ａ３１）。即ち、サーバレイヤの通信パスの制御状態により影響を受けるクライアントレイヤの通信パスの存在の有無を検索し、このクライアントレイヤの通信パス、即ち、クライアントＴｒａｉｌが存在するか否かを判定する（Ａ３２）。
【００２７】
そして、クライアントＴｒａｉｌが存在しない場合は、ステップ（Ａ４）に移行し、クライアントＴｒａｉｌが存在する場合は、従属停止か否かを判定する（Ａ３３）。即ち、従属状態が停止状態ｌｏｃｋｅｄであるか否かを判定する。従属停止の場合は、ステップ（Ａ４）に移行し、従属停止でない場合は、従属状態を停止状態ｌｏｃｋｅｄに変更し（Ａ３４）、停止状態か否か、即ち、運用状態が停止状態ｌｏｃｋｅｄであるか否かを判定し（Ａ３５）、停止状態の場合はステップ（Ａ４）に移行する。
【００２８】
このステップ（Ａ４）に於いて、自Ｔｒａｉｌの運用状態を停止状態ｌｏｃｋｅｄに設定し、処理は終了することになる。又停止状態でない場合は、ステップ（Ａ３１）に移行しで、他のクライアントレイヤの通信パスについての処理、即ち、クライアントＴｒａｉｌ処理を継続する。
【００２９】
図５は本発明の実施の形態の通信パス制御の状態情報の説明図であり、（Ａ）はネットワークレイヤを示し、（Ｂ）は通信パス対応の状態情報を示す。又２１〜３０は終端部、３１〜３５はクロスコネクトを示し、終端部２１，２２間の２ＭＰＤＨの通信パスＤと、終端部２３，２４間，２５，２６間，２７，２８間の２ＭＳＤＨ（ＶＣ１２−ＴＵ１２）の通信パスＡ，Ｂ，Ｃと、終端部２９，３０間の５２ＭＳＤＨ（ＶＣ３−ＴＵ３）の通信パスＸとに於いて、クロスコネクト３５を停止状態から非停止状態に切替える場合を示す。
【００３０】
即ち、（Ｂ）のＸＣ設定前の状態情報のように、通信パスＸは、クロスコネクト３５が停止状態ｌｏｃｋｅｄであり、この通信バスＸに対するサーバレイヤが存在しないので、従属状態は非停止状態ｕｎｌｏｃｋｅｄとなっている。又通信パスＸのクライアントレイヤの通信パスＡは、その従属状態が停止状態ｌｏｃｋｅｄとなる。
【００３１】
又通信パスＢの従属状態は非停止状態ｕｎｌｏｃｋｅｄであるが、クロスコネクト３２を停止状態としていることにより、通信パスＢの運用状態が停止状態ｌｏｃｋｅｄとなっている。又通信パスＣは、クロスコネクト３３を非停止状態とすることにより、運用状態も従属状態も非停止状態ｕｎｌｏｃｋｅｄとなっている。従って、通信パスＤは、クロスコネクト３１を非停止状態としても、サーバレイヤに相当する通信パスＸ，Ａ，Ｂが運用状態及び従属状態として停止状態ｌｏｃｋｅｄとなっているから、従属状態として停止状態ｌｏｃｋｅｄとなる。
【００３２】
このような状態に於いて、クロスコネクト３５を停止状態ｌｏｃｋｅｄから非停止状態ｕｎｌｏｃｋｅｄに切替えて、通信パスＸの設定を行うと、ＸＣ設定後として示すように、通信パスＸの運用状態は非停止状態ｕｎｌｏｃｋｅｄとなり、それによって、通信パスＡの従属状態は、停止状態ｌｏｃｋｅｄから非停止状態ｕｎｌｏｃｋｅｄに変更される。又クロスコネクト３２を停止状態のままとすると、通信パスＢ，Ｃ，Ｄの運用状態及び従属状態は、ＸＣ設定前と同様の状態となる。
【００３３】
図６は本発明の実施の形態の停止解除処理のフローチャートであり、ＸＣ接続要求、即ち、クロスコネクトの接続要求があると（Ｂ１）、自Ｔｒａｉｌ運用中、即ち、運用状態を非停止状態ｕｎｌｏｃｋｅｄとし（Ｂ２）、従属停止か否かを判定する（Ｂ３）。即ち、従属状態が停止状態ｌｏｃｋｅｄとなっている否かを判定し、従属停止の場合は処理を終了する。即ち、サーバレイヤの影響を受けて停止状態となっているから、制御対象レイヤの通信パスを設定するようにクロスコネクトを制御しても、サーバレイヤの通信パスが遮断されているから、運用サービスを行う通信パスを形成できないことになる。
【００３４】
又従属状態が停止状態ｌｏｃｋｅｄでない場合は、クライアントＴｒａｉｌ処理を行う（Ｂ４）。このクライアントＴｒａｉｌ処理は、右側に示すように、クライアントＴｒａｉｌを検索し（Ｂ４１）、クライアントＴｒａｉｌが存在するか否かを判定し（Ｂ４２）、存在しない場合は処理を終了する。
【００３５】
又クライアントＴｒａｉｌが存在する場合は、そのクライアントＴｒａｉｌが従属停止か否かを判定する（Ｂ４３）。即ち、そのクライアントＴｒｉｌの従属状態が停止状態ｌｏｃｋｅｄであるか否かを判定し、従属停止でない場合は処理を終了する。又従属停止の場合は、他のサーバＴｒａｉｌが停止又は従属停止か否かを判定する（Ｂ４４）。即ち、運用状態が停止状態ｌｏｃｋｅｄ、従属状態が停止状態ｌｏｃｋｅｄか否かを判定する。
【００３６】
他のサーバＴｒａｉｌが停止又は従属停止の場合は処理を終了し、そうでない場合は、従属状態を非停止状態ｕｎｌｏｃｋｅｄに変更し（Ｂ４５）、運用状態が停止状態ｌｏｃｋｅｄか否かを判定し、停止状態でない場合は、ステップ（Ｂ４１）に移行し、他のクライアントレイヤについての処理を継続し、又停止状態の場合は処理を終了する。
【００３７】
図７は本発明の実施の形態の通信パス制御の説明図であり、４１は２ＭＰＤＨの通信パスＤのクロスコネクト、４２は２ＭＳＤＨ（ＶＣ１２−ＴＵ１２）の通信パスＣのクロスコネクト、４３，４４は５２ＭＳＤＨ（ＶＣ３−ＴＵ３）の通信パスＢ，Ａのクロスコネクトを示す。
【００３８】
クロスコネクト４３を停止状態とし、クロスコネクト４１，４２，４４を非停止状態とした場合、通信パスＡは非停止状態で運用サービス中とすることができるが、通信パスＣ，Ｄはサーバレイヤの通信パスＢの影響を受けて従属停止となる。
【００３９】
この状態に於いて、クロスコネクト４２を停止状態とする制御を行う場合、通信パスＣの運用状態を停止状態ｌｏｃｋｅｄとする。その時、通信パスＣの従属状態は停止状態ｌｏｃｋｅｄとなっているから、処理は終了とする。
【００４０】
又図７の状態に於いて、通信パスＢのクロスコネクト４３を停止状態から非停止状態に切替えると、この通信パスＢの制御状態による影響を受けるクライアントレイヤの通信パスＣの従属停止は解除され、又通信パスＣの従属停止解除により、通信パスＣのクライアントレイヤの通信パスＤの従属停止も解除される。
【００４１】
図８は本発明の実施の形態の通信パス制御の説明図であり、５１は２ＭＰＤＨの通信パスＤのクロスコネクト、５２〜５４は２ＭＳＤＨ（ＶＣ１２−ＴＵ１２）の通信パスＢ，Ｃ，Ａのクロスコネクト、５５は５２ＭＳＤＨ（ＶＣ３−ＴＵ３）の通信パスＸのクロスコネクトを示す。
【００４２】
クロスコネクト５５を停止状態としている場合を示し、それにより、通信パスＸは運用状態が停止状態ｌｏｃｋｅｄとなり、又通信パスＡは従属停止、即ち、従属状態が停止状態ｌｏｃｋｅｄとなる。この時、通信パスＢ，Ｃが非停止状態ｕｎｌｏｃｋｅｄで、通信パスＡと並列的に通信パスＤのサーバレイヤを構成しているから、通信パスＤは非停止状態となり、運用サービス中となる。
【００４３】
図９は本発明の実施の形態の障害発生時の説明図であり、６１は２ＭＰＤＨの通信パスＤのクロスコネクト、６２は２ＭＳＤＨ（ＶＣ１２−ＴＵ１２）の通信パスＣのクロスコネクト、６３〜６５は５２ＭＳＤＨ（ＶＣ３−ＴＵ３）の通信パスＢ，Ａのクロスコネクトを示す。
【００４４】
クロスコネクト６１〜６５を非停止状態としている場合は、通信パスＡ，Ｂ，Ｃ，Ｄは運用サービス中となる。その状態に於いて、通信パスＡのクロスコネクト６４，６５間で障害が発生すると、通信パスＡは停止状態となり、通信パスＢは運用サービス中であっても、通信パスＣ，Ｄは従属停止となる。従って、障害発生時に於いても、従属停止とする処理を行うことができるから、運用可能の通信パスの探索が容易となり、例えば、迂回路接続処理等も容易となる。
【００４５】
図１０は本発明の実施の形態の通信パス制御の説明図であり、７１はＡＴＭ（Ａsynchronous Ｔrasfer  Ｍode ）の通信パスＤのクロスコネクト、７２は１５６ＭＳＤＨ（ＶＣ４−ＡＵ４）のクロスコネクトを示す。この場合、５２ＭＳＤＨ（ＶＣ３−ＴＵ３）の通信パスについてはクロスコネクトが設けられていないネットワークの場合であり、このレイヤについては前述のような状態情報についての管理を行わない。
【００４６】
従って、クロスコネクト７２が例えば停止状態であるとすると、通信パスＤは従属停止とすることになる。又この従属停止状態に於いて、クロスコネクト７１を非停止状態としてある場合に、クロスコネクト７２を停止状態から非停止状態に切替えると、通信パスＤは従属停止解除となり、運用サービス中となる。このように、階層構造の通信ネットワークに於いて、従属状態を管理する必要がないレイヤについては、通信パスの運用状態及び従属状態の管理を省略することができる。
【００４７】
図１１は本発明の実施の形態のネットワーク管理装置の説明図であり、８０はメインネットワーク管理装置（Ｍ−ＮＭＳ）、８１〜８３はサブネットワーク管理装置（Ｓ−ＮＭＳ）、８４はトレイル制御機能部、８５〜８７はレイヤ対応部、８８，８９は通信対応部を示し、メインネットワーク管理装置８０とサブネットワーク管理装置８１〜８３は、図１２の通信ネットワークに於けるメインネットワーク管理装置１１０とサブネットワーク管理装置１１１〜１１３に相当するものである。
【００４８】
又メインネットワーク管理装置８０と複数のサブネットワーク管理装置８１〜８３との間は、マネージャ（Ｍａ）とエージェント（Ａｇ）との関係で、通信対応部８８，８９を介して状態情報の収集及び制御情報の送受信を行うものである。又メインネットワーク管理装置８０は、トレイル制御機能部８４と、通信ネットワークの制御等を行う機能オブジェクトと、状態を管理する情報オブジェクトとを含み、情報オブジェクト〔Ｔｒａｉｌ，ＬＮＤ（Ｌayer  Ｎetwork  Ｄomain ），ＳＮ（Ｓub−Ｎetwork），ＳＮＣ（Ｓub−Ｎetwork  Ｃonnection ），ＣＴＰ（Ｃonnection Ｔermination  Ｐoint），ＴＴＰ（Ｔrail  Ｔermination
Ｐoint）〕は、レイヤ（２ＭＰＤＨ，２ＭＳＤＨ（ＶＣ１２−ＴＵ１２），５２ＭＳＤＨ（ＶＣ３−ＴＵ３）等）単位に存在する場合を示し、機能オブジェクトモレイヤ単位に存在するように構成することも可能であるが、共通化することもできる。
【００４９】
情報オブジェクトの中のＴｒａｉｌオブジェクトにより、通信パスを管理するものであり、運用状態（Ａdministrative Ｓtate）と従属状態（Ｓubordinate
Ｓtate）とは、Ｔｒａｉｌオブジェクトの属性として管理される。その他のＴｒａｉｌオブジェクトの属性としては、トレイル識別子Ｔｒａｉｌ  ＩＤ、運用可能状態Ｏｐｅｒａｔｉｏｎａｌ  Ｓｔａｔｅ、方向性Ｄｉｒｅｃｔｉｏｎａｌｉｔｙ等が含まれる。
【００５０】
又トレイル制御機能部８４は、通信パスのサービス及び停止制御等を行う機能部であり、例えば、図４又は図６に示すフローチャートに従った処理を行い、通信パス対応のＴｒａｉｌオブジェクトの運用状態属性及び従属状態属性の状態変更を行うことになる。
【００５１】
又メインネットワーク管理装置８０と複数のサブネットワーク管理装置８１〜８３により、通信ネットワークを管理，制御する通信制御装置を構成した場合を示すが、メインネットワーク管理装置８０と複数のサブネットワーク管理装置８１〜８３との機能をまとめた通信制御装置とすることも可能である。そして、通信ネットワークから収集した状態情報を基に、レイヤ対応の通信パスの運用状態と従属状態とを管理し、パス設定やパス切替え等の各種の制御を行う場合の通信パスの状態を容易に把握し、且つ制御に従った通信ネットワークの状態管理を容易に行うことができる。
【００５２】
【発明の効果】
以上説明したように、本発明は、クライアントレイヤの通信パスと、サーパレイヤの通信パスを含む通信ネットワークに於いて、運用状態と従属状態とにより通信パスの制御状態を管理し、通信パスの制御内容に従って影響を受けるクライアントレイヤの通信パスの従属状態を変更するものであり、サーバレイヤの通信パスの制御状態を変更した場合の処理は、従属状態が既に変更されている場合に、そのレイヤまでの処理で済むから、処理時間を短縮することが可能となる利点がある。
【図面の簡単な説明】
【図１】本発明の実施の形態の通信パス制御の概要説明図である。
【図２】本発明の実施の形態の通信パスの状態遷移説明図である。
【図３】本発明の実施の形態の通信パス制御の状態情報の説明図である。
【図４】本発明の実施の形態の停止処理のフローチャートである。
【図５】本発明の実施の形態の通信パス制御の状態情報の説明図である。
【図６】本発明の実施の形態の停止解除処理のフローチャートである。
【図７】本発明の実施の形態の通信パス制御の説明図である。
【図８】本発明の実施の形態の通信パス制御の説明図である。
【図９】本発明の実施の形態の障害発生時の説明図である。
【図１０】本発明の実施の形態の通信パス制御の説明図である。
【図１１】本発明の実施の形態のネットワーク管理装置の説明図である。
【図１２】通信ネットワークの説明図である。
【図１３】通信ネットワークのパス運用，停止の説明図である。
【符号の説明】
１〜１０  終端部
１１〜１４  クロスコネクト
【図１】
0003653653.tif 000002
【図２】
0003653653.tif 000003
【図３】
0003653653.tif 000004
【図４】
0003653653.tif 000005
【図５】
0003653653.tif 000006
【図６】
0003653653.tif 000007
【図７】
0003653653.tif 000008
【図８】
0003653653.tif 000009
【図９】
0003653653.tif 000010
【図１０】
0003653653.tif 000011
【図１１】
0003653653.tif 000012
【図１２】
0003653653.tif 000013
【図１３】
0003653653.tif 000014